(57)【要約】【課題】固定部材の調整位置が変化しても、固定部材を保持した際の保持力を変動させることなく保つことができる片持ち台の支持構造及び画像形成装置を提供する。【解決手段】保持部材３３の長穴部３３ａは、水平方向に伸びる部分と、任意の角度で傾斜させて形成した部分の組合せによって折返しの形状をなす。一対の水平方向に伸びる水平長穴部分３３ｕ、３３ｌと、上側の水平長穴部分３３ｕから右斜め上方向へ傾斜して伸びる傾斜長穴部分３３ｕｓ及び下側の水平長穴部分３３ｌから左斜め下方向へ傾斜して伸びる傾斜長穴部分３３ｌｓと、水平長穴部分３３ｕ、３３ｌの間に位置して左上から右下方向へ傾斜して伸び、水平長穴部分３３ｕ、３３ｌの間をつないでいる傾斜長穴部分３３ｍｓとから構成されている。固定部材３２の上下方向を調整した際にネジａの位置が変化しても保持部材３３の保持力を変動させることなく保つことが出来る。【選択図】図４
2016170334.tif 000002
【特許請求の範囲】
【請求項１】
片持ち状に保持される片持ち台の支持構造であって、
前記片持ち台を支持するための支持部材と、
前記片持ち台を前記支持部材に対して上下方向で可動にして固定するための固定部材と、
前記片持ち台を前記固定部材に固定する保持部材とからなり、
前記保持部材は、水平方向に伸びる長穴と任意の角度で傾斜させた長穴との組合せによって構成された長穴部と、該長穴部に締結する締結部材とで、前記固定部材の組み付け後に該固定部材の上面および正面から接触させて締結、固定する、
ことを特徴とする片持ち台の支持構造。
【請求項２】
請求項１に記載の片持ち台の支持構造において、
前記固定部材の上下方向の位置を調整した後に、前記締結部材以外の第２の締結部材を用いて前記固定部材への前記保持部材の取り付けを行う、
ことを特徴とする片持ち台の支持構造。
【請求項３】
請求項２に記載の片持ち台の支持構造において、
前記支持部材の正面に、前記長穴及び前記第２の締結部材を取り付けるための部位を有する、
ことを特徴とする片持ち台の支持構造。
【請求項４】
請求項１ないし３のいずれか一項に記載の片持ち台の支持構造において、
前記固定部材のネジ部にバーリング形状を有する、
ことを特徴とする片持ち台の支持構造。
【請求項５】
請求項１ないし４のいずれか一項に記載の片持ち台の支持構造において、
前記保持部材に摩擦係数の大きい材料を使用して保持力を高めた、
ことを特徴とする片持ち台の支持構造。
【請求項６】
請求項１ないし５のいずれか一項に記載の片持ち台の支持構造を備えてスキャナを支持してなることを特徴とする画像形成装置。
【発明の詳細な説明】
【技術分野】
【０００１】
本発明は、片持ち台の支持構造と、該構造を備えた画像形成装置に関する。
【背景技術】
【０００２】
胴内排紙機構を有する画像形成装置では、排紙された用紙の視認性、取り出し性を向上させるために排紙部の４面中の２面が開放される構造となっている。そのような胴内排紙部の上部に配置されているスキャナは、４点の支持部中３点は画像形成装置の装置筐体に下方を支持されているが開放２面の交点にあたる１点は隣にある他点から支持部材（スキャナの荷重を受ける部材）を伸ばして支えるため、片持ち支持される構造体（本明細書では片持ち台と言う。）を支持する構造となっている。したがって前記の片持ち支持される１点は下方を直接には支持されない。そのため、スキャナの自重や外力によってスキャナに変形が発生しやすい。そこで、補強も兼ねてスキャナを固定部材を介して支持部材に固定している。
【０００３】
スキャナを支持部材に固定するための固定部材は、例えば板状のもので、スキャナには両者の対応箇所に形成された穴同士をネジ止めして固定する。また固定部材とは何れか一方に形成した長穴と他方に形成した丸穴とを用いてネジ止めすることにより固定する。そして、長穴に対する丸穴の位置を微調整することにより、固定部材に固定したスキャナを水平となるように姿勢を調整可能としている。
【０００４】
スキャナはその平面性（コンタクトガラスの平面性）が確保されていないと読み取り原稿が斜行する。そのために上述のように、固定部材とスキャナとの連結状態を調整可能としてスキャナの平面度を調整可能とする。すなわち、支持部材に対する固定部材の上下方向位置、角度を調整することにより、スキャナが水平の姿勢を取るように調整できる。
【０００５】
しかし、固定部材が画像形成装置の装置筐体に前記１点以外の３点ではネジ止めなどで固定しているため、前記のような調整は難しい。そこで、スキャナを支持、固定するための固定部材に、スキャナを保持する力を高めるための保持部材を取り付ける構造が提案されている（例えば、特許文献１参照）。
【０００６】
この特許文献１では保持部材が長短２本のアームを有する逆へ字型のテコ形状のレバーになっている。一方のアームは固定部材の下端に接触させて保持し、他方のアームを支持部材に対して所定の位置関係にて固定することにより、該アームの位置を確定している。
【０００７】
また保持部材の前記他方のアームには長穴を形成し、支持部材にはそれと交差するように長穴を設けている。２つの長穴の交差部にはネジなどの締結部材を貫通させて締め付けるようになっている。締結部材は、支持部材と保持部材を接触させた状態で両側からそれら部材を挟み込み、保持部材を固定部材に接触させるように固定している。このことで、スキャナの上下方向に大きな荷重や振動が掛かっても、保持部材に掛かる力を分散させることで固定部材の落ち込みによるスキャナの変形を防いでいる。
【発明の概要】
【発明が解決しようとする課題】
【０００８】
しかしながら、上述した特許文献１に記載の構造では、保持部材が逆へ字型のテコ形状のレバーであるため、固定部材の調整位置で保持部材に設けた長穴の角度が変化する。そのため、固定部材の調整位置によって保持力が変動するという問題がある。また、保持部材や締結部材がネジと共締めであるため、ネジがゆるむと容易に調整位置がずれてしまうという問題もある。
【０００９】
本発明は、固定部材の調整位置に関わらず固定部材を保持した際の保持力を変動させることなく保つこと、固定部材のネジのゆるみが保持部材に影響しない締結手段を用いることを目的とする。
【課題を解決するための手段】
【００１０】
本発明に係る片持ち台の支持構造は、片持ち状に保持される片持ち台の支持構造であって、前記片持ち台を支持するための支持部材と、前記片持ち台を前記支持部材に対して上下方向で可動にして固定するための固定部材と、前記片持ち台を前記固定部材に固定する保持部材とからなり、前記保持部材は、水平方向に伸びる長穴と任意の角度で傾斜させた長穴との組合せによって構成された長穴部と、該長穴部に締結する締結部材とで、前記固定部材の組み付け後に該固定部材の上面および正面から接触させて締結、固定する、ことを特徴とする。
【発明の効果】
【００１１】
本発明によれば、保持部材に設けられた長穴部に折返しの形状を加えることで、固定部材の調整位置に対して保持部材の長穴部の角度を変化させることなく維持することができるので、固定部材の調整位置が変化しても、固定部材を保持した際の保持力を変動させることなく保つことができる。
【図面の簡単な説明】
【００１２】
【図１】カラー画像形成装置の一例の構成、及び画像形成動作について説明する概略図である。
【図２】図１の画像形成装置のスキャナ支持部の左から見た側面図である。
【図３】図２に使用する保持部材の周辺を示す拡大図である。
【図４】本発明に係る片持ち台の支持構造の第１の実施形態における、高さ調整式の固定部材と、該固定部材の位置を保持するための保持部材の構成について説明するための正面図（ａ）と拡大図（ｂ）である。
【図５】図４を上から見た構成について説明するための平面図である。
【図６】本発明に係る片持ち台の支持構造の第２の実施形態における、高さ調整式の固定部材と、該固定部材の位置を保持するための保持部材の構成について説明するための正面図である。
【図７】本発明に係る片持ち台の支持構造の第３の実施形態における、高さ調整式の固定部材と、該固定部材の位置を保持するための保持部材の構成について説明するための拡大正面図（ａ）と、該正面図中のｖ−ｖ線に沿う断面図（ｂ）である。
【発明を実施するための形態】
【００１３】
以下、本発明の実施の形態を図面を参照して説明する。
本発明に係る片持ち台の支持構造は、上述のような調整式の固定部材の保持に際して、以下の特徴を有する。要するに、保持部材に設けられた長穴部に折返しの形状を加えることで、固定部材の調整位置に対して保持部材の長穴部の角度を変化させることなく維持できることが特徴になっている。なお本明細書で「スキャナ」とは、いわゆる画像読み取り用のスキャナ装置だけでなく、画像形成装置の装置本体の上に搭載される種々の装置であって、片持ち支持され得る種々の装置をも含むものである。
【００１４】
＜画像形成装置の構造＞
胴内排紙機構を有する画像形成装置の構造の一例を、本発明に係る構造との比較のために説明する。
図１はカラー画像形成装置の一公知例について説明する概略図である。図１において、可撓性のベルト状像担持体としての感光体ベルト１は、感光体駆動ローラ２、および従動ローラ３ａ、３ｂに張設され、矢印方向（時計廻り）に回転移動する。感光体ベルト１は、帯電チャージャ４により一様に帯電された後、レーザ書き込みユニット５により、画像情報に基づいて発光が制御されるレーザの走査露光を受け、表面には静電潜像が形成される。
【００１５】
そして、感光体ベルト１を回転させながら走査露光し、静電潜像を形成する１工程に用いる画像情報は、所望のフルカラー画像をマゼンタ、シアン、イエロー、および黒の色情報に分解した単色の画像情報である。この情報により、半導体レーザの発光を制御する。発生するレーザビームは光学装置（レーザ書き込みユニット）５により走査、および光路調整し、出力する。単色の画像情報に基づいて形成された静電潜像は、カラー現像装置６ａ、６ｂ、６ｃ、６ｄにより対応するマゼンタ（Ｍ）、シアン（Ｃ）、イエロー（Ｙ）、および黒（Ｂｋ）トナーで各々単色現像され、感光体ベルト１上に各々の色画像が順次形成される。
【００１６】
図１中の矢印方向（時計廻り）に回転する感光体ベルト１上にはＭ、Ｃ、Ｙ、Ｂｋの各単色画像が形成される。これらは、同図中の矢印方向（反時計廻り）に回転する中間転写ベルト１０上に、バイアスローラ１３に印加された所定の転写バイアスの作用により、順次重ね転写される。中間転写ベルト１０上に重ね合わされたＭ、Ｃ、Ｙ、Ｂｋの画像は、転写紙１７ａ上に転写ローラ１４により一括転写される。転写紙１７ａは、給紙台（給紙カセット）１７から給紙ローラ１８、グリップローラ対１９ａ、１９ｂ、レジストローラ対２０ａ、２０ｂを経て転写部へ搬送される。図１において、符号１１は中間転写ベルト１０の駆動ローラ、１２は従動ローラである。転写終了後、転写紙１７ａは定着装置２１により定着されて、フルカラー画像が完成し、排紙ローラ対２２ａ、２２ｂを経て、排紙スタック部２３に排出される。排紙スタック部２３の前面および左側の面が胴内排紙の開放面となる。なお、排紙スタック部２３の上方にはスキャナ装置２４を示してある。
【００１７】
図２は図１の画像形成装置のスキャナ支持部の左から見た側面図である。図３は図２に使用する保持部材の周辺を示す拡大図である。図２および図３において、スキャナ支持部のスキャナ支持部材２５は本体後側板２６にネジ固定されている。スキャナ固定部材３２７は、図のような板形状でスキャナ装置２４とは両者の対応箇所に形成された穴Ａ同志をネジ止めすることにより固定される。またスキャナ固定部材３２７とスキャナ支持部材２５とは何れか一方に形成された長穴Ｂと他方に形成された丸穴（ネジ穴）ｂとを夫々ネジ止めすることにより固定される。長穴Ｂに対する丸穴ｂの位置を微調整することにより、スキャナ固定部材３２７に固定されたスキャナ装置２４を水平姿勢となるように調整できる。つまり、スキャナ支持部材２５に対するスキャナ固定部材３２７の上下方向位置、角度を調整することにより、スキャナ装置２４を水平姿勢に調整できる。しかし、長穴Ｂは上下方向へ延びる長穴形状となっているため、上からの力に対してはネジの保持力に依存するしかなく、大きな力や振動により上下方向へずれることがある。
【００１８】
そこで、斜め方向（水平方向でもなく、垂直方向でもない方向）へ延びる長穴部２８Ａを貫通形成した保持部材２８をスキャナ支持部材に追加している。この保持部材２８は、図示のようにスキャナ支持部材２５の右側寄り位置に移動可能な状態で取り付けられる。すなわち、保持部材２８には長穴部２８Ａを設けるとともに、スキャナ固定部材３２７にはこの長穴部２８Ａと連通可能な丸穴ｃを設け、両穴を図示しないネジによりネジ止めする。このことにより、スキャナ支持部材２５に対する保持部材２８の位置関係（角度、高さ）を調整できる。つまり、保持部材２８は長穴部２８Ａがネジに係合することにより、長穴部に沿って移動可能となる。
【００１９】
保持部材２８に設けられた長穴部２８Ａは、水平方向に対して５度〜４５度の範囲で右上がりに傾斜した形状である。実際に保持部材２８の位置を下げるためには、ネジにより保持部材２８を上下方向へ回動自在に支持したスキャナ支持部材２５に対して、保持部材２８を長穴部２８Ａに沿って左下方向に動かす力が必要となる。その方向に働く力は上からの力Ｆ（鉛直方向下向きの力）の１／１０〜７／１０となる。また、スキャナ固定部材３２７は、丸穴ｃと長穴部２８Ａに挿通したネジ一点でスキャナ支持部材２５に固定されているが、図のように上から力Ｆが掛かった場合、保持部材２８のネジ止め部を中心に左右に力が掛かるためネジ止め一点でも十分機能を果たす。なお、この特許文献１の構造では、スキャナ固定部材３２７側に長穴部２８Ａを備えた保持部材２８を可動な状態で設け、スキャナ支持部材２５側に丸穴ｃを設けても良い。
【００２０】
またこの特許文献１の構造では、スキャナ固定部材３２７、またはスキャナ支持部材２５のいずれか一方に設けた保持部材２８は水平方向に対して５度から４５度以下の範囲で斜め上下方向へ傾斜した長穴部２８Ａを有している。この長穴部２８Ａを他方の部材に設けたネジ穴ｃと連通した状態でネジ固定することにより保持部材２８の位置を調整する。これによりスキャナ本体を水平姿勢に調整可能に構成しており、さらにスキャナ本体から離れた位置に保持部材２８を設けることで水平度調整作業における効率化を図っている。
【００２１】
＜実施形態１＞
このような片持ち台の支持構造と、画像形成装置の構造には上述した問題があるので、本発明はこれを解決できる構造としてある。そのような本発明の構成について以下に図面を参照して説明する。
図４は、本発明に係る片持ち台の支持構造の第１の実施形態を示し、高さ調整式の固定部材と、該固定部材の位置を保持するための保持部材の構成について説明するための正面図、図５は、図４を上から見た構成について説明するための平面図である。なお以下では画像形成装置のスキャナの受け台として本発明の構成を説明するが、本発明がこの例の構成に限定されないことは言うまでもない。
【００２２】
図示の形態の構造は、フレーム３１と、固定部材３２と、保持部材３３によって構成される。フレーム３１は縦方向に伸びる長穴部３１ａを複数有している。固定部材３２は、フレーム３１に接触させるようにネジａにて固定されるもので、ネジａなどの締結部材による締結、固定位置を調整することでフレーム３１の上下方向に調整可能となっている。保持部材３３は、フレーム３１の上面および固定部材３２の調整後に調整されたネジａの位置に合わせてセットされる長穴部３３ａを有し、図の左右方向に調整可能となっている。保持部材３３は、摩擦係数の大きい材料を使用して保持力を高めたものが好ましい。固定部材３２は図示しないスキャナの受け台として用いることができる。すなわち、固定部材３２の上下位置によりスキャナの位置が上下動することになる。
【００２３】
保持部材３３の長穴部３３ａは、水平方向に伸びる部分と、任意の角度で傾斜させて形成した部分の組合せによって折返しの形状を構成している。図示の形態では、一対の水平方向に伸びる水平長穴部分３３ｕ、３３ｌと、上側の水平長穴部分３３ｕから右斜め上方向へ傾斜して伸びる傾斜長穴部分３３ｕｓ及び下側の水平長穴部分３３ｌから左斜め下方向へ傾斜して伸びる傾斜長穴部分３３ｌｓと、水平長穴部分３３ｕ、３３ｌの間に位置して図では左上から右下方向へ傾斜して伸び、水平長穴部分３３ｕ、３３ｌの間をつないでいる傾斜長穴部分３３ｍｓとから構成されている。そして、固定部材３２の上下方向を調整した際にネジａの位置が変化しても保持部材３３の保持力を変動させることなく保つことが出来るようになっている。
【００２４】
なお長穴を真っ直ぐに伸びるものとし、かつその傾斜角度を例えば５〜１０°の浅い角度とした場合、荷重Ｆ（図３参照）は分散される。そしてネジａに掛かる荷重は０．０８８（傾斜角度が５°の場合：ｓｉｎ５°）〜０．１７４（傾斜角度が１０°の場合：ｓｉｎ１０°）となる。しかし、固定部材３２の上下動の幅によっては必要な長穴の幅寸法が大きくなってしまい、所望の固定部材３２の移動量を確保できないことがある。本実施形態では図示のように長穴部３３ａに折り返し部分を持たせることにより、必要な幅寸法を小さくしている。また、真っ直ぐな長穴では幅が大きくなりすぎる場合でも所望の移動量を確保できるようにしている。
【００２５】
なお図５で示すように、フレーム３１は、上面部にネジ穴を有し、図４において示すような固定部材３２の調整位置に合わせて保持部材３３をセットした後、フレーム３１の上面からネジｂによって保持部材３３を締結することが可能となっている。
【００２６】
＜実施形態２＞
図６は、本発明に係る片持ち台の支持構造の第２の実施形態を示し、高さ調整式の固定部材と、正面から取付け可能な保持部材の構成について説明する図である。
本実施形態のフレーム４４は、長穴部４４ａおよびネジｃにて正面から取付け可能なネジ穴を有する。また、台座（固定部材）４５は、フレーム４４と接触した状態でネジａにて取付け可能なネジ穴およびネジｃ部に上下方向に調整可能な長穴４５ａを持つ。そして保持部材４６は、台座４５の調整後に調整されたネジａの位置に合わせて長穴部４６ｂをセットした後、フレーム４４の正面からネジｃによって締結可能な水平の長穴部４６ａを有し、左右方向に調整可能に構成されている。長穴部４６ｂの構成は先の実施形態の長穴部３３ａと同一である。
【００２７】
先に説明した第１の実施形態では、ネジａ、ｂの締め付け方向が違っていたが、本実施形態ではネジａ、ｃを同じ方向から締結する。そのため、台座４５の上にスキャナ等が搭載されていても締結作業の邪魔にならないで作業できる。
【００２８】
＜実施形態３＞
図７は、本発明に係る片持ち台の支持構造の第３の実施形態を示す。本実施形態は、ネジ部のネジ穴部分にバーリング形状を有する固定部材を備えた構成を有する。詳細には本実施形態は、正面ネジ穴部に保持部材５７側に突出したバーリング形状５８ａを有する固定部材５８を備える。また保持部材５７は、固定部材５８のバーリング形状５８ａに合わせた長穴部５７ａを有する。
【００２９】
バーリング形状５８ａは、例えば外径寸法を公差［０／−０．０５］とする。この場合、相手側の保持部材５７の長穴部５７ａの幅寸法はバーリング形状５８ａの部位の外径に対して公差［０／＋０．０５］となる。また、バーリング形状５８ａの突出し量は０．８ｍｍ以上とする。これにより、保持部材５７と固定部材５８の密着性が高まり、安定した保持力を保つことができる。
【００３０】
また本発明は以上説明した実施形態に限定されるものではなく、多くの変形が本発明の技術的思想内で当分野において通常の知識を有する者により可能である。
【符号の説明】
【００３１】
１        ：感光体ベルト
２        ：感光体駆動ローラ
３        ：支持部
３ａ      ：従動ローラ
３ｂ      ：従動ローラ
４        ：帯電チャージャ
５        ：レーザ書き込みユニット
６ａ〜６ｄ      ：カラー現像装置
１０      ：中間転写ベルト
１３      ：バイアスローラ
１４      ：転写ローラ
１７ａ    ：転写紙
１８      ：給紙ローラ
１９ａ、１９ｂ    ：グリップローラ対
２０ａ、２０ｂ    ：レジストローラ対
２１      ：定着装置
２２ａ、２２ｂ    ：排紙ローラ対
２３      ：排紙スタック部
２４      ：スキャナ装置
２５      ：スキャナ支持部材
２６      ：本体後側板
２８      ：保持部材
２８Ａ    ：長穴部
３１      ：フレーム
３１ａ    ：長穴部
３２      ：固定部材
３３      ：保持部材
３３ａ    ：長穴部
３３ｌ    ：水平長穴部分
３３ｌｓ  ：傾斜長穴部分
３３ｍｓ  ：傾斜長穴部分
３３ｕ    ：水平長穴部分
３３ｕｓ  ：傾斜長穴部分
４４      ：フレーム
４４ａ    ：長穴部
４５      ：台座
４５ａ    ：長穴
４６      ：保持部材
４６ａ、４６ｂ    ：長穴部
５７      ：保持部材
５７ａ    ：長穴部
５８      ：固定部材
５８ａ    ：バーリング形状
Ａ        ：穴
Ｂ        ：長穴
Ｆ        ：力
ａ        ：ネジ
ｂ        ：ネジ
ｃ        ：ネジ
【先行技術文献】
【特許文献】
【００３２】
【特許文献１】特開２００６−１７８３８７号公報
【図１】
2016170334.tif 000003
【図２】
2016170334.tif 000004
【図３】
2016170334.tif 000005
【図４】
2016170334.tif 000006
【図５】
2016170334.tif 000007
【図６】
2016170334.tif 000008
【図７】
2016170334.tif 000009